(57)【要約】      （修正有）【課題】輸入豆類の水揚げ時の港湾物流管理は正確化と迅速さが求められているが、効率的な一元的管理システムは見当たらず、トレーサビリティー確保の上からも問題があった。【解決手段】豆類の輸入水揚げ時に豆袋一袋毎の重量を計測するＬａｂスケールと、当該豆類の貨物事前情報及び前記Ｌａｂスケールの計測値を記録するパソコンと、ＩＣラベルに前記各情報を書き込むＩＣラベルプリンターと、ＩＣラベルに情報を書き込む為のＩＣライターを有するフォークリフトに設置されているフォークリフト端末／データベースと、倉庫の搬入口及び搬出口の天井部にそれぞれ設けられたＩＣリーダーと、倉庫の各階に設けられた階数センサーと、各ロケーション毎の柱にセットされた無線Ｌａｎアクセスポイントと、前記パソコン及びフォークリフト端末との間で情報の授受が行われるサーバー／データベース、とから輸入豆類港湾物流管理装置を構成した。【選択図】図１
2006232547.tif 000002
【特許請求の範囲】
【請求項１】
豆類の輸入水揚げ時に豆袋一袋毎の重量を計測するＬａｂスケールと、当該豆類の貨物事前情報及び前記Ｌａｂスケールの計測値を記録するパソコンと、前記パソコンに接続され、ＩＣラベルに前記各情報を書き込むＩＣラベルプリンターと、前記豆類を積み付けるパレットと、このパレットを運搬するフォークリフトと、ＩＣラベルに情報を書き込む為のＩＣライターを有するフォークリフトに設置されたフォークリフト端末／データベースと、倉庫の搬入口及び搬入口の天井部にそれぞれ設けられたＩＣリーダーと、倉庫の各階に設けられた階数センサーと、各ロケーション毎の柱にセットされた無線Ｌａｎアクセスポイントと、前記パソコン及びフォークリフト端末との間で情報の授受が行われるサーバー／データベース、とから構成されることを特徴とする輸入豆類港湾物流管理装置。
【請求項２】
豆類がコーヒー豆であることを特徴とする請求項１記載の輸入豆類港湾物流管理装置。
【発明の詳細な説明】
【技術分野】
【０００１】
この発明は輸入豆類物流管理装置、詳しくは、コーヒー豆などの輸入豆類の港湾物流を一元的に管理出来る便利な輸入豆類港湾物流管理装置に関するものである。
【背景技術】
【０００２】
コーヒー豆などの輸入豆類が港湾施設に水揚げされた際には、倉庫への保管から搬出に至るまで数多くの作業が必要であり、これら作業を一元的に管理する必要がある。
【特許文献１】なし
【非特許文献１】なし
【発明の開示】
【発明が解決しようとする課題】
【０００３】
しかしながら、従来においては貨物である豆類の各作業段階における一元的管理は十分に行われていたとは言い難く、従来の管理システムでは下記の通りの問題点が存在していた。
（１）顧客へのスピーディーな情報提供が出来ない。
（２）搬入時の貨物仕訳作業が正確に出来ない。
（３）搬出時の貨物取違いが発生しやすい。
（４）貨物重量の切付け間違いが発生しやすい。
（５）倉庫内の貨物確認に人手がかかり過ぎる。
【０００４】
言うまでもなく、港湾施設内における物流は、正確かつ迅速に行われなければならないのは当然であるが、特に、従来の管理システムはトレーサビリティが十分に確立されておらず、到底満足出来るものとは言えなかった。なお、トレーサビリティとは貨物が国内に到着後、荷主の手元に届くまでの経過が順を追って確認出来ることを指す。本発明者はコーヒー豆などの輸入豆類が港湾施設に水揚げされた際の港湾物流を正確かつ迅速に行い得る様にすべく鋭意研究した結果、ＩＣラベルを用いることにより、港湾物流における豆類の搬入、保管、搬出を効率よく一元的に管理でき、トレーサビリティの確立にも寄与し得る輸入豆類港湾物流管理装置を開発することに成功し、本発明としてここに提出するものである。
【課題を解決するための手段】
【０００５】
この発明は、豆類の輸入水揚げ時に豆袋一袋毎の重量を計測するＬａｂスケールと、当該豆類の貨物事前情報及び前記Ｌａｂスケールの計測値を記録するパソコンと、前記パソコンに接続され、ＩＣラベルに前記各情報を書き込むＩＣラベルプリンターと、前記豆類を積み付けるパレットと、このパレットを運搬するフォークリフトと、ＩＣラベルに情報を書き込む為のＩＣライターを有するフォークリフトに設置されたフォークリフト端末／データベースと、倉庫の搬入口及び搬出口の天井部にそれぞれ設けられたＩＣリーダーと、倉庫の各階に設けられた階数センサーと、各ロケーション毎の柱にセットされた無線Ｌａｎアクセスポイントと、前記パソコン及びフォークリフト端末との間で情報の授受が行われるサーバー／データベース、とから輸入豆類港湾物流管理装置を構成することにより上記課題を解決した。
【発明の効果】
【０００６】
この発明においては、上記の通りの手段により、下記の通りの効果がもたらされる。
（１）顧客に対し、保管中、貨物である豆類についてのリアルな情報提供が可能である。（２）搬入時の貨物仕訳作業が正確になる。
（３）出荷時の貨物取違いが防止出来る。
（４）重量の切り付け間違いがなくなる。
（５）倉庫内の貨物確認の省力化が可能である。
（６）貨物の盗難及び不正物品の混入が防止出来る。
（７）トレーサビリティーの確立が可能となる。
【発明を実施するための最良の形態】
【０００７】
各種情報を書き込み可能なＩＣラベルを用い、豆類を積み付けるパレットの位置をパソコンでリアルタイムに把握できる様にした点に、最大の特徴が存する。
【実施例１】
【０００８】
図面を参照しながら本発明に係る輸入豆類港湾物流管理装置の一実施例について説明する。
【０００９】
図１において、１はＬａｂスケール（ローディングオートマチックベルトスケール）、２はパソコン、３はＩＣラベルプリンター、４はデータ通信ケーブル、１０はサーバー／データベースであり、このデータ通信ケーブル４の一本はパソコン２へ、もう一本はＩＣラベルプリンター３へ接続されている。又、パソコン２にはコーヒー豆など貨物である豆類についての貨物事前情報が登録される様になっている。
【００１０】
なお、貨物事前情報とは、船名に関する情報（Ｖｅｓｓｅｌ）、原産地等を特定する為の番号（Ｉｃｏ  Ｎｏ）、グレードに関する情報、荷主（Ｓｈｉｐｐｅｒ）に関する情報などである。
【００１１】
Ｌａｂスケール１はパソコン２に接続されており、図２に示す様に、このＬａｂスケール１のコンベア上にコーヒー豆などの豆類を収容した豆袋１２を載置し、このＬａｂスケール１を起動させるとパソコン２に豆袋１２の重量が入力され、前記貨物事前情報と共にその重量に関する情報が登録される様になっている。
【００１２】
又、パソコン２はＩＣラベルプリンター３に接続されており、このパソコン２に登録された豆類の貨物情報はＩＣラベルプリンター３に送られ、ここでＩＣラベル１３に書き込まれ、書き込み済みのＩＣラベル１３は図３に示す様に、個々の豆袋１２に自動的に貼付される様になっている。
【００１３】
一方、図４に示す様に、豆袋２を一時保管する港湾施設内の倉庫の搬入口１４及び搬出口１５の天井部にはＩＣラベル１３に書き込まれている情報を読み取るＩＣリーダー５がそれぞれ設置されていると共に、倉庫各階には階数を示す階数センサー６が、倉庫各階の各ロケーション毎の柱には無線Ｌａｎアクセスポイント７がそれぞれ設置されている。
【００１４】
又、豆袋１２を載置したパレット８を運搬するフォークリフト９には無線Ｌａｎを通じてサーバー／データベース１０から送られてくる情報を入力表示するフォークリフト端末／データベース１１が設置されている。サーバー／データベース１０はフォークリフト端末／データベース１１及びパソコン２との間で情報の授受が行われる様になっている。フォークリフト端末／データベース１１には、情報を選択的に表示するディスプレイ画面が設けられている。
【００１５】
次に、この実施例１の作用について説明する。Ｌａｂスケール１、パソコン２、ＩＣラベルプリンター３の電源を入れ、Ｌａｂスケール１のコンベアー部にチェック用分銅を載せ、このＬａｂスケール１の精度確認を行う。
【００１６】
一方、パソコン２は貨物である豆類について、その船名、ＩｃｏＮｏ．、グレード、荷主名などの貨物事前情報を登録する。なお、ＩｃｏＮｏ．とは貨物の原産国等を特定する番号で、国際コーヒー機関が定めたものである。そして、Ｌａｂスケール１を起動させ、コンベアーを回転させパソコン２の重量自動取り込み開始ボタンを押した後、コンテナから貨物である豆袋１２を取り出し、図２に示す様に、コンベアーに載せてＬａｂスケール１によって豆袋１２の一個の重量を正確に測定し、測定値をパソコン２に入力する。
【００１７】
更に、豆類のコンディション情報がパソコン２に登録され、パソコン２からはこれら各情報がＩＣラベルプリンター３に送付され、ＩＣラベルプリンター３ではこれら各情報は個品用のＩＣラベル１３に書き込まれ、このＩＣラベル１３は豆袋１２へ自動貼付される。はい付け係りははい付け提示ランプ（図示省略）を確認して、この個品用ＩＣラベル１３が貼付された豆袋１２を、パレット８に積み付ける。なお、はい付けとはパレット８上に載置された貨物を倉庫内に段積みすることを言う。
【００１８】
なお、パレット８一枚に積み付ける豆袋１２は２０個から２５個である。パレット８に規定数量の豆袋１２が積まれたら、図５に示す様に、フォークリフト９にてパレット８を取り上げる。このとき、倉庫搬入口１４の天井部に取付けられているＩＣリーダー５がパレット８に積まれている豆袋１２のＩＣラベル１３の記録情報を一括読み込みし、無線Ｌａｎによりフォークリフト端末／データベース１１はこの読み込まれた情報を記録すると共に、フォークリフト端末／データベース１１に付設されたＩＣライターにてパレット用のＩＣラベル１３に書き込む。
【００１９】
情報が書き込まれたパレット用のＩＣラベル１３を図６に示す様に、パレット８に貼付した後、豆袋１２が積まれたパレット８をフォークリフト９によって倉庫内に運搬する。倉庫内においては、各階に設置された階数センサー６により、フォークリフト端末／データベース１１に階数を引き取り、搬入予定のロケーションへパレット８を運搬する。倉庫内にパレット８を配置する際には、図９に示す様な、フォークリフト９にセットされたフォークリフト端末／データベース１１のタッチパネルにてロケーション番号を選択すると、フォークリフト９にセットされたＩＣリーダーにて選択されたロケーション番号がパレット用のＩＣラベル１３に書き込まれると共に、各ロケーション毎の柱にセットされた無線Ｌａｎアクセスポイント７よりフォークリフト９の貨物情報はサーバー／データベース１０に送信される。
【００２０】
なお、燻蒸庫内においては、ロケーション番号の入力を必要とせず、フォークリフト端末／データベース１１のタッチパネルの「燻蒸」をタッチするだけで、燻蒸が行われる。又、蔵地ロケーションが変更になったときには、上記保管作業の際と同様な処理を行えばよい。
【００２１】
この様に、倉庫に搬入された豆袋１２は、サーバー１０に蓄積された情報と各ＩＣラベルに記録されている情報とが有機的に連携して管理される。
【００２２】
一方、保管された豆袋１２の搬出の際には、出庫指図書に基づき、出庫作業計画書を作成し、搬出口ラベル２０を出力する。出力された搬出口ラベル２０を運搬用トラック１６のドライバー１７に渡し、搬出口１５に向ってもらう。
【００２３】
なお、分割出庫分については、分割作業指示書を作成し、これに基づき、フォークリフト９は分割作業を行い、分割されたパレット情報をフォークリフト端末／データベース１１から無線Ｌａｎを通じてサーバー／データベース１０に送る。
【００２４】
一方、フォークリフト端末／データベース１１は出庫作業計画をサーバー／データベース１０より無線Ｌａｎを通して受け取り、フォークリフト端末／データベース１１の画面上に表示されたパレット８をその保管箇所から切り出し、搬出口１５まで運搬し、搬出口のＩＣリーダー５にて一括読み取りし、前述の搬出口ラベルとの整合性をチェックし、仮置きする。
【００２５】
その後、搬出口１５に仮置きされたパレット８上の豆袋１２を運搬用トラック１６に積み込み、空になったパレット８をフォークリフト端末／データベース１１にて読み取り、図１０に示す画面により出庫完了を指示し、当該パレットＩＣラベルの情報をクリアする。
【００２６】
この様に、出庫予定の豆袋１２の積み込みがすべて完了したなら、フォークリフト端末／データベース１１からサーバー／データベース１０に出庫完了を送信すると共に、出庫もれの確認を行い、一連の作業を完了する。
【００２７】
この発明は、上記の通りの構成及び作用を有するものであり、下記の通りのすぐれた効果がもたらされる。
（１）顧客に対し、保管中、貨物である豆類についてのリアルな情報提供が可能である。（２）搬入時の貨物仕訳作業が正確になる。
（３）出荷時の貨物取違いが防止出来る。
（４）重量の切り付け間違いがなくなる。
（５）倉庫内の貨物確認の省力化が可能である。
（６）貨物の盗難及び不正物品の混入が防止出来る。
（７）トレーサビリティーの確立が可能となる。
【産業上の利用可能性】
【００２８】
輸入豆類の港湾施設内における物流業務の際に、極めて有効である。
【図面の簡単な説明】
【００２９】
【図１】この発明に係る搬入豆類港湾物流管理装置の全体のシステム構成を示したブロック図。
【図２】要部であるＬａｂスケール１とＩＣラベルプリンター３の位置関係を説明する為の側面図。
【図３】豆袋１２にＩＣラベル１３が貼付されている状態の正面図。
【図４】豆袋１２が一時保管される倉庫の各階の配置図。
【図５】豆袋１２をパレット８に積み付けて倉庫の搬入口１４を通過する状態の説明図。
【図６】パレット８にパレット用のＩＣラベル１３を貼付した状態の斜視図。
【図７】フォークリフト端末／データベース１１とサーバー／データベース１０との間で無線Ｌａｎアクセスポイント７を介して情報の授受が行われている状況の説明図。
【図８】パレット８に積み付けられた豆袋１２を倉庫の搬出口１５を通過される際の状況を説明した説明図。
【図９】フォークリフト端末／データベース１１のディスプレイ画面上にロケーション選択画面が表示されている状況の説明図。
【図１０】同じく、「出庫完了」の際のディスプレイ画面。
【符号の説明】
【００３０】
１    Ｌａｂスケール
２    パソコン
３    ＩＣラベルプリンター
４    データ送信ケーブル
５    ＩＣリーダー
６    階数センサー
７    無線Ｌａｎアクセスポイント
８    パレット
９    フォークリフト
１０    サーバー／データベース
１１    フォークリフト端末／データベース
１２    豆袋
１３    ＩＣラベル
１４    搬入口
１５    搬出口
１６    運搬用トラック
１７    ドライバー
１８    搬入コンベア
１９    搬出コンベア
２０    搬出口ラベル
【図１】
2006232547.tif 000003
【図２】
2006232547.tif 000004
【図３】
2006232547.tif 000005
【図４】
2006232547.tif 000006
【図５】
2006232547.tif 000007
【図６】
2006232547.tif 000008
【図７】
2006232547.tif 000009
【図８】
2006232547.tif 000010
【図９】
2006232547.tif 000011
【図１０】
2006232547.tif 000012